(57)【要約】【課題】  フィルタの全面を効率よく洗浄することができ、しかも、特別の機器を必要とすることなくフィルタを自動的に洗浄することができるストレーナを提供する。【解決手段】  フィルタ１を洗浄する洗浄用圧液をフィルタ１の内側に導入する液導入部３を、フィルタ１の内部で自転することが可能であり、且つ洗浄用圧液を噴射し、該噴射の反力により自転力を発生する噴射口３３を有する自転体３２を備える構成とすることにより、フィルタ１の全面を自動的に洗浄することができるようにした。【選択図】  図１
2006341161.tif 000002
【特許請求の範囲】
【請求項１】
ポンプに給液される液体中の固形物を濾過するフィルタと、該フィルタを洗浄する洗浄用圧液を前記フィルタの内側に導入する液導入部を有するストレーナにおいて、前記液導入部は、前記フィルタの内部で回転が可能であり、且つ前記洗浄用圧液を噴射し、該噴射の反力により自転力を発生する噴射口を有する自転体を備えることを特徴とするストレーナ。
【請求項２】
前記フィルタ及び自転体は筒形をなし、前記噴射口は前記自転体の長手方向に沿って貫通するスリットである請求項１記載のストレーナ。
【請求項３】
前記フィルタを保持する保持体を備えており、前記液導入部は、一端が前記保持体に取着され、周面に複数の貫通孔を有する導入筒を備えており、該導入筒に前記自転体が回転を可能に外嵌されている請求項１又は２記載のストレーナ。
【請求項４】
前記自転体及び導入筒の周面間に空洞を有しており、前記貫通孔は、該貫通孔から前記空洞内に流出された洗浄用圧液が前記自転体の自転方向へ流通するように形成されている請求項３記載のストレーナ。
【請求項５】
前記自転体は、前記導入筒の他端末に対向する蓋部を有しており、該蓋部の中央を回転を自在に支持する球体を備える請求項３又は４記載のストレーナ。
【発明の詳細な説明】
【技術分野】
【０００１】
本発明はポンプ等に給液される液体中の固形物を濾過するためのストレーナに関する。
【背景技術】
【０００２】
野外の液体源の液体をポンプが吸込む場合、液体源の砂等の固形物を液体とともに吸込むことがあり、この固形物によりポンプの圧液発生部が摩耗したりするため、一般には、ポンプの給液路にストレーナが設けられている（例えば、特許文献１、２参照。）。
【０００３】
特許文献１のストレーナは、前記給液路の中途に接続されるもので、前記ポンプが発生した圧液をノズル等の液体噴射部に送出する送出路の中途に接続された圧液力制御弁の返戻路に接続される液導入筒を有しており、該液導入筒に導入した圧液をフィルタの内部で噴出することにより、フィルタの周面に付着している固形物をフィルタから除去するように構成されている。
【０００４】
特許文献２のフィルタは、前記給液路の中途に接続されるもので、複数の噴射口を有し、前記ポンプが発生した圧液の一部をフィルタの内部に導入する液導入筒と、該液導入筒を回転させるハンドル又は電動モータとを有しており、液導入筒に導入した圧液をフィルタの内部で噴射しつつハンドル又は電動モータにより液導入筒を回転し、フィルタの周面に付着している固形物をフィルタから除去するように構成されている。
【特許文献１】特開２００４−２０２３１４号公報
【特許文献２】特表平１１−５０９７７１号公報
【発明の開示】
【発明が解決しようとする課題】
【０００５】
ところが、特許文献１のストレーナは、返戻路から導入した圧液がフィルタの内部で噴出されるだけであるため、フィルタの全面を洗浄することができないと言う問題があった。また、特許文献２のストレーナは、液導入筒を駆動するためのハンドル、電動モータ等の駆動機器を必要とし、ストレーナが大形で、且つコスト高になると言う問題があり、しかも、ハンドルを操作するための労力又は電動モータを駆動制御するための制御器が必要であった。
【０００６】
本発明は上述のような事情に鑑みてなされたものであり、主たる目的は洗浄用圧液を噴射することにより自転力を発生する自転体を備えることにより、フィルタの全面を効率よく洗浄することができ、しかも、特別の機器を必要とすることなくフィルタを自動的に洗浄することができるストレーナを提供することにある。
【０００７】
また、他の目的は、噴射口を自転体の長手方向に沿って貫通するスリットとすることにより、一つの噴射口を有する自転体によりフィルタを全長及び全周に亘って洗浄することができるストレーナを提供することにある。
【０００８】
また、他の目的は、自転体を外嵌支持し、液体を導入する導入筒を設けることにより、洗浄用圧液の圧液力が比較的低い場合においても自転体を回転させることができるストレーナを提供することにある。
【０００９】
また、他の目的は、自転体の自転を補助するための貫通孔を導入筒に設けることにより、自転体の自転性をより一層向上でき、洗浄用圧液の圧液力が比較的低い場合においても自転体を回転させることができるストレーナを提供することにある。
【００１０】
また、他の目的は、筒形をなし、導入筒に外嵌支持される自転体の端部を回転を自在に支持する球体を設けることにより、自転体の自転性を向上でき、洗浄用圧液の圧液力が比較的低い場合においても自転体を回転させることができるストレーナを提供することにある。
【課題を解決するための手段】
【００１１】
第１発明に係るストレーナは、ポンプに給液される液体中の固形物を濾過するフィルタと、該フィルタを洗浄する洗浄用圧液を前記フィルタの内側に導入する液導入部を有するストレーナにおいて、前記液導入部は、前記フィルタの内部で回転が可能であり、且つ前記洗浄用圧液を噴射し、該噴射の反力により自転力を発生する噴射口を有する自転体を備えることを特徴とする。
【００１２】
第１発明にあっては、液導入部に導入された洗浄用圧液を噴射口から噴射することにより自転力を発生し、この自転力により自転体が自転しつつフィルタの全体を自動的に洗浄することが可能であるため、特別の労力及び動力を必要とすることなくフィルタを効率よく洗浄することができ、フィルタの保守点検期間を比較的長くすることができる。
【００１３】
第２発明に係るストレーナは、前記フィルタ及び自転体は筒形をなし、前記噴射口は前記自転体の長手方向に沿って貫通するスリットであることを特徴とする。
【００１４】
第２発明にあっては、自転体が少なくとも一つの噴射口を有することによりフィルタを全長及び全周に亘って洗浄することが可能であり、自転体の構造を簡素にでき、自転体のコスト、ひいてはストレーナのコストを低減できる。
【００１５】
第３発明に係るストレーナは、前記フィルタを保持する保持体を備えており、前記液導入部は、一端が前記保持体に取着され、周面に複数の貫通孔を有する導入筒を備えており、該導入筒に前記自転体が回転を可能に外嵌されていることを特徴とする。
【００１６】
第３発明にあっては、導入筒内に導入された洗浄用圧液を、貫通孔から自転体内を経て噴射口から噴射することができ、しかも、自転体の安定性を高めることができ、自転力による自転性を向上でき、洗浄用圧液の圧液力が比較的低い場合においても自転体を回転させることができる。
【００１７】
第４発明に係るストレーナは、前記自転体及び導入筒の周面間に空洞を有しており、前記貫通孔は該貫通孔から前記空洞内に流出された洗浄用圧液が前記自転体の自転方向へ流通するように形成されていることを特徴とする。
【００１８】
第４発明にあっては、導入筒の貫通孔から自転体内の空洞に流出された洗浄用圧液は空洞内で自転体の自転方向へ流通するため、自転体の自転を補助することができ、自転体の自転性をより一層向上でき、洗浄用圧液の圧液力が比較的低い場合においても自転体を回転させることができる。
【００１９】
第５発明に係るストレーナは、前記自転体は、前記導入筒の他端末に対向する蓋部を有しており、該蓋部の中央を回転を自在に支持する球体を備えることを特徴とする。
【００２０】
第５発明にあっては、筒形をなす自転体の端部を球体が支持しているため、自転体の自転力による自転性を高めることができ、洗浄用圧液の圧液力が比較的低い場合においても自転体を回転させることができる。
【発明の効果】
【００２１】
第１発明によれば、液導入部に導入した洗浄用圧液をフィルタに噴射しつつ自転体を自転させるため、フィルタの全面を効率よく洗浄することができ、しかも、液導入部に導入した洗浄用圧液により自転体を自転させるため、特別の機器が必要でなく、フィルタを自動的に洗浄することができ、フィルタの保守点検期間を比較的長くすることができ、また、ストレーナを小形にできる。
【００２２】
また、第２発明によれば、自転体が一つの噴射口を有することによりフィルタを全長及び全周に亘って洗浄することが可能であるため、自転体の構造を簡素にでき、自転体のコスト、ひいてはストレーナのコストを低減できる。
【００２３】
また、第３発明によれば、導入筒を備えることにより自転体の安定性を高めることができ、自転力による自転性を向上できるため、洗浄用圧液の圧液力が比較的低い場合においても自転体を回転させることができる。
【００２４】
また、第４発明によれば、貫通孔から空洞内に流出された洗浄用圧液により自転体の自転を補助することができるため、自転体の自転性を向上でき、洗浄用圧液の圧液力が比較的低い場合においても自転体を回転させることができる。
【００２５】
また、第５発明によれば、自転体の自転力による自転性を球体により高めることができるため、洗浄用圧液の圧液力が比較的低い場合においても自転体を回転させることができる。
【発明を実施するための最良の形態】
【００２６】
以下本発明をその実施の形態を示す図面に基づいて詳述する。図１は本発明に係るストレーナの構成を示す縦断正面図、図２は図１のII−II線の断面図、図３はストレーナの構成を示す平面図、図４はストレーナが使用された液体噴射装置の模式図である。
【００２７】
ストレーナＡは、例えばタンク等の液体源Ｂの液体を給液路Ｃから給液するポンプＰと、該ポンプＰが発生した圧液を送出する送出路Ｄに接続されるノズルＮと、送出路Ｄに接続され、該送出路Ｄ内の圧液力を設定し、且つノズルが閉じられたときなど送出路Ｄ内の圧液力が設定値を超えたとき送出路Ｄ内の圧液の全量を返戻路Ｅに返戻するアンローダ弁Ｆとを備える液体噴射装置の給液路Ｃに接続される。尚、アンローダ弁Ｆは送出路Ｄ内の圧液力が設定値を超えたとき送出路Ｄ内の圧液力を、無負荷時にポンプが発生する圧液力に減圧して返戻路Ｅに返戻する機能を有する。
【００２８】
また、ストレーナＡは、有底の円筒形をなし、給液路Ｃに給液される液体中の固形物を濾過するフィルタ１と、該フィルタ１を内側に保持し、フィルタ１により濾過された液体をポンプＰに送出する送出口２ａを有する保持体２と、返戻路Ｅに接続され、フィルタ１の内側に該フィルタ１を洗浄する洗浄用圧液を導入する液導入部３とを備える。
【００２９】
保持体２は、給液路Ｃの入側に接続され、径方向に貫通する給入口２ｂ及び給液路Ｃの出側に接続され、径方向に貫通する送出口２ａ並びに中心部の一端に嵌合孔２ｃとを有し、円筒形をなす第１筒体２１と、一端が第１筒体２１の他端に結合され、他端に比較的小径の開口２２ａを有し、円筒形をなす第２筒体２２とを備える。
【００３０】
第１筒体２１は、一端が閉鎖され第２筒体２２と略等径の大径筒部２１ａ、及び一端が閉鎖され第２筒体２２より小径の小径筒部２１ｂを有し、大径筒部２１ａ内に給入口２ｂが開口し、小径筒部２１ｂ内に送出口２ａが開口している。送出口２ａは一つの放射方向線Ｘ上に設けられているのに対し、給入口２ｂは放射方向線Ｘと偏位した位置であり、且つ放射方向線Ｘと平行的に設けられており、給入口２ｂから第１筒体２１内に流入した液体を大径筒部２１ａ及び小径筒部２１ｂ間の環状通路で旋回させ、旋回液流が第２筒体２２内、換言すればフィルタ１の外周りで発生するように構成されている。
【００３１】
第２筒体２２の他端の内側には周方向に離隔して突設された四つのリブ２２ｂを有しており、該リブ２２ｂにフィルタ１の底部が嵌合支持されている。また、夫々のリブ２２ｂの間とフィルタ１との間には開口２２ａに連通する空間を有しており、フィルタ１の周面から除去された固形物が開口２２ａに落下するようになっている。開口２２ａには図示していないが前記固形物を排出するためのコックが取着される。
【００３２】
フィルタ１は網目が粗い小径網部１ａと、該小径網部１ａの外周りに配置され、網目が細かい大径網部１ｂと、扁平板からなる底部１ｃとを有しており、小径網部１ａ及び大径網部１ｂの開口部は連結環により連結されている。
【００３３】
液導入部３は、一端が嵌合孔２ｃに嵌合固定され、小径筒部２１ｂ及び第２筒体２２の中心部に配置された導入筒３１と、該導入筒３１の外周面に自転を自在に外嵌支持され、且つ洗浄用圧液を噴射し、該噴射の反力により自転力を発生する噴射口３３を有する自転体３２とを備えている。導入筒３１及び自転体３２は円筒形をなしており、自転体３２及び導入筒３１の周面間に環状の空洞３４が設けられている。
【００３４】
導入筒３１は周面に複数の貫通孔３１ａを有し、他端が閉鎖されており、一端の内側に返戻路Ｅの先端が接続されるように構成されている。また、導入筒３１の他端の外周には嵌合部３１ｂが設けられており、該嵌合部３１ｂに自転体３２の他端が回転を自在に外嵌されている。貫通孔３１ａは導入筒３１の二つの周方向位置に導入筒３１の長手方向に離隔して設けられている。また、貫通孔３１ａは一つの放射方向線Ｘと偏位した位置であり、且つ放射方向線Ｘと平行的に設けられており、導入筒３１内の洗浄用圧液が貫通孔３１ａから空洞３４内に流出したとき、洗浄用圧液が自転体３２の自転方向へ流通するように構成されている。即ち、貫通孔３１ａの孔芯に対して自転体３２の自転方向が鈍角となり、反自転方向が鋭角となるように構成し、貫通孔３１ａから空洞３４内に流出した洗浄用圧液が、流通抵抗が小さくなる鈍角側へ流れるようにしてある。
【００３５】
自転体３２は円筒部の両端に内向きの鍔部３２ａ，３２ｂを有しており、鍔部３２ａ，３２ｂが導入筒３１に外嵌されることにより、空洞３４が形成されている。噴射口３３は自転体３２の長手方向に沿って径方向に貫通するスリットからなり、二つの周方向位置に設けられている。夫々の噴射口３３は、放射方向線Ｘと偏位した位置であり、且つ放射方向線Ｘと平行的に設けられており、空洞３４内の洗浄用圧液が噴射口３３からフィルタ１の内周面に向けて噴射されたときの噴射の反力により自転力を発生するように構成されている。また、自転体３２の他端には鍔部３２ｂを閉鎖する蓋部３２ｃを有しており、該蓋部３２ｃの中央に設けられた球形凹部３２ｄに、フィルタ１の底部に当接する球体４が嵌合され、該球体４により自転体３２の他端をフィルタ１の底部に回転を自在に支持している。
【００３６】
以上のように構成されたストレーナＡは、例えば図４に示すように液体噴射装置の給液路Ｃの中途に給入口２ｂ及び送出口２ａが接続され、返戻路Ｅの先端に導入筒３１の一端が接続される。ポンプＰが駆動されることにより液体源Ｂの液体は給液路Ｃ及びストレーナＡのフィルタ１を経てポンプＰの吸込口に吸込まれ、ポンプＰが発生した圧液は送出路Ｄ及びアンローダ弁Ｆを経てノズルＮに送出され、該ノズルＮから外部に噴射される。このノズルＮが閉じられているとき、ポンプＰが発生した圧液はアンローダ弁Ｆから返戻路Ｅを経てストレーナＡの液導入部３に洗浄用圧液として返戻される。
【００３７】
洗浄用圧液は導入筒３１内を経て貫通孔３１ａから空洞３４内に流出し、該空洞３４内を経て噴射口３３からフィルタ１の周面に噴射され、フィルタ１の周面に付着している固形物をフィルタ１から除去する。さらに、洗浄用圧液が噴射口３３から噴射されることにより自転力を発生し、この自転力により自転体３２が図２の矢印方向に自転し、噴射口３３から噴射する洗浄用圧液をフィルタ１の全周面に等圧で且つ均等に吹き付けることができ、フィルタ１の周面に付着している固形物をフィルタ１から効率よく除去することができる。しかも、貫通孔３１ａから空洞３４内に流出する洗浄用圧液は自転体３２の自転方向に流通するため、この流通力により自転体３２の自転を補助することができ、噴射の反力だけで自転体３２が自転する場合に比べて自転体３２の自転性を向上でき、洗浄用圧液の圧液力が比較的低い場合においても自転体３２を回転させることができる。また、フィルタ１の周面から除去された固形物は、第２筒体２２内からリブ２２ｂ間の空間を経て開口２２ａに落下し、該開口２２ａに溜められ、開口２２ａに取着されるコックを適宜開くことにより、前記固形物を外部に排出することができる。
【００３８】
尚、以上説明した実施の形態では、複数の噴射口３３を有する構成としたが、その他、噴射口３３は一つであってもよい。また、スリットからなる噴射口３３を有する構成としたが、その他、噴射口３３は自転体３２の複数の長手方向位置に丸孔、長孔等の貫通孔３１ａが列設された構成であってもよい。また、噴射口３３は自転体３２の長手方向に直線的に設ける他、自転体３２の長手方向に螺旋的に設けてもよい。
【００３９】
また、液導入部３は導入筒３１及び自転体３２を備える構成としたが、その他、導入筒３１をなくし、自転体３２が保持体２に直接自転を自在に支持された構成とし、自転体３２内に洗浄用圧液が導入されるようにしてもよい。また、導入筒３１を備える場合、貫通孔３１ａは放射方向線Ｘ上にあってもよい。
【００４０】
また、本発明に係るストレーナＡは、液体噴射装置の給液路Ｃの中途に接続される他、給液路Ｃの始端に接続されてもよい。また、洗浄用圧液はアンローダ弁Ｆの返戻路Ｅから導入するようにしたが、その他、送出路Ｄに接続され、該送出路Ｄ内の圧液力を調整し、且つ送出路Ｄ内の圧液の一部又は全量を余水として返戻路に返戻する調圧弁の返戻路から導入するように構成してもよいし、また、前記送出路Ｄ又はアンローダ弁Ｆ等の弁から導入パイプ等により導入するようにしてもよい。
【図面の簡単な説明】
【００４１】
【図１】本発明に係るストレーナの構成を示す縦断正面図である。
【図２】図１のII−II線の断面図である。
【図３】本発明に係るストレーナの構成を示す平面図である。
【図４】本発明に係るストレーナが使用された液体噴射装置の模式図である。
【符号の説明】
【００４２】
Ａ    ストレーナ
１    フィルタ
２    保持体
３    液導入部
３１  導入筒
３１ａ  貫通孔
３２  自転体
３３  噴射口
３４  空洞
３２ｃ  蓋部
４    球体
Ｐ    ポンプ
【図１】
2006341161.tif 000003
【図２】
2006341161.tif 000004
【図３】
2006341161.tif 000005
【図４】
2006341161.tif 000006